(57)【要約】【課題】  ボケ像の色付きが抑えられた、色分解光学系を有する撮像装置を提供する。【解決手段】  透過率可変素子を有しレンズからの入射光量を調節するフィルタ部、入射光を光電変換する光電変換素子、フィルタ部からの入射光を光電変換素子に導く導光光学系、を有する撮像装置において、導光光学系は物体側から第１ダイクロイック膜を設けた第１プリズム、第２ダイクロイック膜を設けた第２プリズム、第３プリズムを含み、入射光を赤光、緑光、青光に分解する色分解光学系を有し、第１又は第２のダイクロイック膜の一方が青光を反射する青反射ダイクロイック膜であって、透過率可変素子の光軸回りの回転位置が、青反射ダイクロイック膜に対する軸上光束の主光線の入射角より小さい入射角で青反射ダイクロイック膜に入射するマージナル光線の緑光の透過率に対する青光の透過率の割合が、軸上光束の主光線に対する該割合よりも低くなる位置である。【選択図】  図１
2013247440.tif 000002
【特許請求の範囲】
【請求項１】
撮像光学系からの入射光の光量を調節するフィルタ部と、該フィルタ部からの入射光を光電変換する光電変換素子と、前記フィルタ部からの入射光を前記光電変換素子に導く導光光学系と、を有する撮像装置において、
該フィルタ部は、入射光の透過率の調節が可能な透過率可変素子を有し、
前記導光光学系は、物体側から順に、第１のダイクロイック膜を設けた第１プリズム、第２のダイクロイック膜を設けた第２プリズム、及び、第３プリズムを含み、入射光を赤色光、緑色光、青色光に分解して射出する色分解光学系を有し、
前記第１のダイクロイック膜又は前記第２のダイクロイック膜のいずれか一方が前記青色光を反射する特性を有する青反射ダイクロイック膜であって、
前記透過率可変素子の光軸回りの回転位置が、該青反射ダイクロイック膜に対する軸上光束の主光線の入射角よりも小さい入射角で該青反射ダイクロイック膜に入射するマージナル光線の、緑色光の透過率に対する青色光の透過率の割合が、軸上光束の主光線の緑色光の透過率に対する青色光の透過率の割合よりも低くなる位置である、
ことを特徴とする撮像装置。
【請求項２】
前記色分解光学系は前記第１プリズムに青反射ダイクロイック膜を有することを特徴とする請求項１に記載の撮像装置。
【請求項３】
前記色分解光学系は前記第２プリズムに青反射ダイクロイック膜を有することを特徴とする請求項１に記載の撮像装置。
【請求項４】
前記透過率可変素子は、液晶透過率可変素子であることを特徴とする請求項１乃至３のいずれか１項に記載の撮像装置。
【請求項５】
前記透過率可変素子は、物体側から順に、入射側偏光板、液晶素子、出射側偏光板、を有していることを特徴とする請求項１乃至３いずれか１項に記載の撮像装置。
【請求項６】
前記撮像光学系から前記フィルタ部に入射する光束は、収斂状態で前記フィルタ部に入射することを特徴とする請求項１乃至５いずれか１項に記載の撮像装置。
【請求項７】
請求項１乃至４いずれか１項に記載の撮像装置と、
被写体からの光束を前記撮像装置に導く撮像光学系と、
を備えることを特徴とする撮像システム。
【発明の詳細な説明】
【技術分野】
【０００１】
本発明は、撮像装置に関し、特に色分解光学系を有する撮像装置に関するものである。
【背景技術】
【０００２】
従来、撮像系において被写体輝度が高すぎるときに絞りを最小径に絞っても撮像素子へ所定量以上の光量が入射してしまう場合がある。又、絞りを絞ることで回折現象による性能劣化が発生し、問題となる場合がある。このため、撮像レンズと撮像素子との間にＮＤ(NEUTRAL DENSITY)フィルタを配置して撮像素子への入射光量を規制することが行われている。ＮＤフィルタとしては、ガラス（透明基板）に吸収物質を入れて溶解して作ったガラスフィルタや、ガラス（透明基板）に有機色素や顔料などを塗布したものが良く用いられる。このような製法で作られるＮＤフィルタは単一の透過率しか持てないため複数の濃度のＮＤフィルタを有するフィルタディスクを配置することで複数の透過率を有する撮像装置を実現していた。
【０００３】
しかしながら、フィルタディスクを用いる場合、複数の素子を保持するためのスペースやフィルタディスクの切り替えに必要な駆動機構が必要なため、小型化が困難であった。加えて、ＮＤフィルタの切り替え時に画面にフィルタ保持枠が影として現れることや、段階的にしか光量を調節できないという課題が有った。
【０００４】
上記課題を解決するために物性素子を光量調節フィルタとして使用した透過率可変フィルタが知られている。なかでも液晶素子を用いた透過率可変フィルタは、液晶素子に電圧を印加することで透過率を連続的に変化させることが可能であり、フィルタ枚数の削減や駆動機構の省略が可能である。その一方、液晶素子には視野角特性が存在するため、素子に入射する光線の傾きによって光線の分光透過率が変化してしまう。そして、その結果、画面内で輝度や色味にムラが生じる角度シェーディングが発生し問題となる。なお、視野角特性は、電圧を印加して透過率を変化させたときに、液晶分子と光軸（レンズ装置と撮像装置からなる光学系の光軸）の為す方向がある角度で傾くために、光の入射する角度により液晶分子の複屈折効果の大きさが変化するために現れる。
【０００５】
特許文献１では複数の液晶素子を組み合わせ、視野角特性の小さい調光制御範囲で素子を駆動することで視野角特性を抑えた調光素子が開示されている。特許文献２では、液晶調光素子の配向方向が撮像面の短辺とほぼ平行となるように液晶調光素子を光路内に配置することで、撮像された画像の不自然な明暗差を抑える手法が開示されている。
【先行技術文献】
【特許文献】
【０００６】
【特許文献１】特開２００５−２２７３６４号公報
【特許文献２】特開２００５−１８１５１２号公報
【発明の概要】
【発明が解決しようとする課題】
【０００７】
ところで、放送用テレビカメラやビデオカメラなどの撮像装置は一般的に、レンズ装置からの入射光を赤色光、緑色光、青色光の３色に色分解する色分解プリズムを有することが知られている。色分解プリズムは、特定の色光のみを反射させることで所望の波長域の色光を分離するダイクロイック膜を有する。ダイクロイック膜は、誘電体多層膜により形成されるため、ダイクロイック膜へ入射する光の入射角度が大きいほど、その特性は短波長側にシフトすることが知られている。図１０に一般的に用いられるフィリップスタイプの３色色分解プリズムを示した。図１０中の光線ａ，ｂは互いに逆の像高に結像する軸外光線、ＢＰ，ＲＰ，ＧＰは夫々青色光、赤色光、緑色光を分解する各色色分解プリズムである。図１０中の軸外光線ａは、青色光分解プリズムＢＰの反射面へ軸外光線ｂに比べ小さい入射角で入射し、赤色光分解プリズムＲＰの反射面へ軸外光線ｂに比べ大きい入射角で入射する。先ほど説明したように、ダイクロイック膜を有する反射面への光の入射角度が大きいほど、その特性は短波長側にシフトする。そのため、軸外光線ａ，ｂのＢＰ、ＲＰへの入射角の違いに起因して、画面の上下に色付きが起こるホワイトシェーディングが発生する。
【０００８】
同様に、特定の像高に結像する光線に関しても、瞳の上側と下側を通る光線でダイクロイック膜へ入射する角度が異なる。図１１の（ａ）は、軸上光線が色分解プリズムを通り結像する様子の模式図である。図１１の（ａ）において、ｃは上側マージナル光線、ｄは下側マージナル光線を示す。図１１の（ａ）に示すように、マージナル光線ｃ，ｄでＢＰ，ＲＰの反射面への入射角度が異なる。ホワイトシェーディングと同様にマージナル光線ｃ，ｄでダイクロイック膜への入射角が異なることで、その分光特性が変化する。図１１の（ｃ）は画面中心でピントが合った状態を示している。ピントが合っている状態ではマージナル光線の色付きが平均化されるため色付きは起こらない。一方、図１１の（ｂ）、（ｄ）はピントが合っていない状態を示している。このようにピントが合っていない状態では、マージナル光線ｃ，ｄの色ズレが平均化されずに像として現れるため、上下でボケ像がマゼンタと緑に分かれてしまうボケ像の色付きが発生する。
【０００９】
色分解光学系を有する放送用テレビカメラやビデオカメラに角度シェーディングを有する素子で構成されるＮＤフィルタを配置する場合、素子とダイクロイック膜の角度シェーディングの影響が重畳してしまうことが考えられる。二つの素子の角度シェーディングが重畳した場合、ホワイトシェーディングやボケ像の色付きが顕著になる。なかでもボケ像の色付きは画面内でどのように画像がボケるかを予測できないために電気的な補正ができず実用上大きな問題となる。
【００１０】
そこで本発明の目的は、ボケ像の色付きが抑えられた、色分解光学系を有する撮像装置を提供することである。
【課題を解決するための手段】
【００１１】
上記目的を達成するために、本発明の撮像装置は、撮像光学系からの入射光の光量を調節するフィルタ部と、該フィルタ部からの入射光を光電変換する光電変換素子と、前記フィルタ部からの入射光を前記光電変換素子に導く導光光学系と、を有し、該フィルタ部は、入射光の透過率の調節が可能な透過率可変素子を有し、前記導光光学系は、物体側から順に、第１のダイクロイック膜を設けた第１プリズム、第２のダイクロイック膜を設けた第２プリズム、及び、第３プリズムを含み、入射光を赤色光、緑色光、青色光に分解して射出する色分解光学系を有し、前記第１のダイクロイック膜又は前記第２のダイクロイック膜のいずれか一方が前記青色光を反射する特性を有する青反射ダイクロイック膜であって、前記透過率可変素子の光軸回りの回転位置が、該青反射ダイクロイック膜に対する軸上光束の主光線の入射角よりも小さい入射角で該青反射ダイクロイック膜に入射するマージナル光線の、緑色光の透過率に対する青色光の透過率の割合が、軸上光束の主光線の緑色光の透過率に対する青色光の透過率の割合よりも低くなる位置である、ことを特徴とする。
【発明の効果】
【００１２】
本発明によれば、ボケ像の色付きが抑えられた、色分解光学系を有する撮像装置を提供することができる。
【図面の簡単な説明】
【００１３】
【図１】第１の実施例のフィルタ部およびカメラ部の要部概要図
【図２】液晶素子の構成
【図３】印加電圧と透過率の関係
【図４】液晶素子の概略図
【図５】分光透過特性と入射角の関係(ＴＢ方向)
【図６】分光透過特性の入射角の関係(ＬＲ方向)
【図７】軸上光線の模式図
【図８】青反射ダイクロイック膜の分光反射率
【図９】第２の実施例のフィルタ部およびカメラ部の要部概要図
【図１０】ホワイトシェーディングの説明図
【図１１】ボケ像の色付きの説明図
【発明を実施するための形態】
【００１４】
以下に、本発明の好ましい実施の形態を、添付の図面に基づいて詳細に説明する。
【実施例１】
【００１５】
本発明の第１の実施例のフィルタ部及びカメラ部の要部概略図を図１に示す。
本発明の撮像装置は、物体側から順に、レンズ装置（撮像光学系）を経由して入射する被写体光の光量を調節するフィルタ部と、フィルタ部を経由した被写体光を光電変換素子によって光電変換して映像信号を形成するカメラ部からなる。フィルタ部である透過率可変素子１は液晶素子（透過率可変ＮＤフィルタ）より成り、印加電圧により入射光の透過率を連続的に変化させることが可能である。カメラ部は、色分解光学系２と撮像素子８Ｂ、８Ｒ、８Ｇを有する。本実施例における色分解光学系（導光光学系）２は、物体側から順に、反射面に青反射ダイクロイック膜４（第１のダイクロイック膜）を蒸着した青分解プリズム３（第１プリズム）と、反射面に赤反射ダイクロイック膜６（第２のダイクロイック膜）を蒸着した赤分解プリズム５（第２プリズム）と、緑分解プリズム７（第３プリズム）とから構成される。青分解プリズム３は青色光を撮像素子８Ｂに導き、赤分解プリズム５は青色光を撮像素子８Ｒに導き、緑分解プリズム７は緑色光を撮像素子８Ｇに導く。
【００１６】
図１のように不図示のレンズ装置からの入射光は透過率可変素子１を通り、色分解光学系２により青、赤、緑色光の順番で色分解される。各色分解プリズムで色分解された光はそれぞれ青色用、赤色用、緑色用の撮像素子８Ｂ、８Ｒ、８Ｇに導かれる。青分解プリズム３の反射面４は、その垂線１０が光軸９（レンズ装置と撮像装置を含む光学系の光軸）と角度θ１で交差している。また、青分解プリズム３の反射面４の垂線１０は、マージナル光線１１と角度θ２で交差している。１２は赤分解プリズム５の反射面６の垂線である。なお、青色光は波長が４００〜５００ｎｍ（代表波長：４３５．８ｎｍ）の光、緑色光は波長が５００〜６００ｎｍ（代表波長：５４６．１ｎｍ）の光、赤色光は波長が６００〜７８０ｎｍ（代表波長：７００ｎｍ）の光として、記載する。
【００１７】
以下に本実施例の透過率可変素子を構成する液晶透過率可変素子の構成と、その特性について説明する。
【００１８】
図２に本実施例の透過率可変素子１を構成する液晶素子２０の構成を側面から見た図を示す。液晶素子２０は、レンズ装置から光線の入射側から順に、１／４波長板１３、直線偏光板（入射側偏光板）１４、ガラス基板１５、液晶（液晶素子）１６、ガラス基板１７、直線偏光板（出射側偏光板）１８を有する。直線偏光板１４と１８は、透過軸が互いに直交するように配置される。又、図２中、１９は透過率可変素子の底面とする。液晶１６はガラス基板１５，１７の間に封入されている。又、ガラス基板１５，１７は不図示の薄膜電極と配向膜を有し、液晶を光線が通過することで偏光方向が９０°ねじられる構成となっている。前記薄膜電極に電圧を印加することで液晶分子は光軸沿って並び、液晶を通過する光線の偏光方向は変化しない状態となる。本実施例の液晶素子は、直線偏光板１４及び１８の透過軸が直交するように構成されているため、素子に電圧を印加しない状態では入射側直線偏光板を通過した光の偏光方向が液晶により９０°ねじられ、射出側の直線偏光板の透過軸と平行な偏光状態となる。逆に電圧を印加し、液晶の配列が光軸に沿って並んだときには、入射側直線偏光板を通過した光線の偏光方向が変化しないため、射出側直線偏光板の透過軸と直交し光線は素子を透過しない。このような液晶のねじれ状態と配列状態の過渡状態において透過率可変素子の透過率が連続的に変化する。本発明の構成において、レンズ装置からフィルタ部である透過率可変素子に入射する光束は、収斂状態で入射する。
以上のように本実施例の液晶素子（透過部）２０は、電圧を印加しないときに最も透過率が高くなる、所謂ＴＮ (TWISTED NEMATIC) 液晶により構成されている。
【００１９】
図３には、透過率可変素子へ印加する電圧と透過率の関係を示した。
ここで、図３に示すように、透過率可変素子の透過率が電圧非印加時の半分となるときの電圧をＶ１とするとき、素子に電圧Ｖ１を印加しているときの液晶素子の視野角特性に関して以下で説明する。
【００２０】
図４の（ａ）は、透過率可変素子の底面１９を下にして物体側から像面側に向かって透過率可変素子１を見た図である。図４の（ｂ）は透過率可変素子１を（ａ）のＴＢ方向から見た図で、透過率可変素子に対して＋２５°の入射角で入射する光線Ｒ１、−２５°の入射角で入射する光線Ｒ２を示す。図４の（ｃ）は、（ａ）に示すようにＴＢ方向と９０°異なるＬＲ方向から透過率可変素子１を見た図で、透過率可変素子１に対して、＋２５°の入射角で入射する光線Ｒ３、−２５°の入射角で入射する光線Ｒ４を示す。図４の（ｂ）、（ｃ）中の破線は光軸を示し、矢印の方向は物体側から像面側へと向かう方向を示している。
【００２１】
図５に、透過率可変素子１に垂直に入射する光線（入射角０°）と、図４の（ｂ）に示すＴＢ方向において、＋２５°の入射角で入射する光線Ｒ１、−２５°の入射角で入射する光線Ｒ２のそれぞれの分光透過特性を示す。同様に図６に、透過率可変素子１に垂直に入射する光線（入射角０°）と、図４ｃに示すＬＲ方向において、＋２５°の入射角で入射する光線Ｒ３、−２５°の入射角で入射する光線Ｒ４のそれぞれの分光透過特性を示す。尚、図５，６は、緑色光を基準として他の色光の透過量の割合がわかるよう、波長５５０ｎｍでの透過光量が１００となるよう規格化している。
【００２２】
図５に示すように透過率可変素子をＴＢ方向から見て、入射角が正である光線Ｒ１は青色光の透過光量が垂直入射の光線に比べて少なく、入射角が負である光線Ｒ２は青色光の透過量が垂直入射の光線に比べて多い。一方、図６のように透過率可変素子をＬＲ方向から見て、Ｒ３，Ｒ４のように入射角が変化しても分光透過特性の変化はほぼ無い。
【００２３】
次に本実施例の青反射ダイクロイック反射膜に起因する角度シェーディングを以下で詳細に説明する。
【００２４】
図７は、光軸上に結像する光束を模式的に表わした図である。青反射ダイクロイック膜ＢＲに入射する光線の入射角は、上側マージナル光線ＭＲ２が最も大きく、軸上光線ＰＲ、下側マージナル光線ＭＲ１の順に小さくなる。
【００２５】
図７で示した軸上光線ＰＲ及び、下側マージナル光線ＭＲ１、上側マージナル光線ＭＲ２の青反射ダイクロイック膜ＢＲでの分光反射率を図８に示す。下側マージナル光線ＭＲ１、軸上光線ＰＲ、上側マージナル光線ＭＲ２の順に分光反射率の特性曲線が短波長側へシフトする。つまり、青反射ダイクロイック膜ＢＲへの入射角が大きくなる程、青反射ダイクロイック膜ＢＲでの分光反射率の特性曲線が短波長側へシフトし、青色波長域における青反射ダイクロイック膜ＢＲで反射率が低下する。そのため、撮像素子８Ｂへ導かれる青色光の光量が減少する傾向がある。
【００２６】
ここで、図１に示したようにマージナル光線１１の青分解プリズム３の反射面４への入射角θ２は、軸上主光線の青分解プリズム３の反射面４への入射角θ１よりも小さい。このような関係であるとき、マージナル光線１１の青反射ダイクロイック膜での反射特性は、前述の下側マージナル光線ＭＲ１と同様、軸上光線ＰＲに比べて青色光の反射光量が多くなる特性を持つ。
【００２７】
本発明においては、青反射ダイクロイック膜ＢＲで下側マージナル光線ＭＲ１と同様の反射特性をもつマージナル光線１１が透過率可変素子１を透過するとき、図５に示した光線Ｒ１の特性を示すように透過率可変素子の光軸回りの回転位置を決めて配置する。それにより、光線ＭＲ１に対する青反射ダイクロイック膜ＢＲの反射率の入射角依存性と光線Ｒ１に対する透過率可変素子１の透過率の入射角依存性に起因する画質の劣化を互いに打ち消すように緩和させることができる。
【００２８】
すなわち、軸上光線の主光線の青反射ダイクロイック膜への入射角よりも小さい入射角で青反射ダイクロイック膜へ入射するマージナル光線の、透過率可変素子の緑色光の透過率に対する青色光の透過率の割合が、軸上光線の主光線に対する、透過率可変素子の緑色光の透過率に対する青色光の透過率の割合よりも低くなるように、透過率可変素子の光軸回りでの回転方向の位置が決められて設置される。
【００２９】
また、より好ましくは、青反射ダイクロイック膜への入射角の差が最大となる２つのマージナル光線と光軸を含む平面内に、透過率可変素子の緑色光に対する青色光の相対的な透過率の入射角依存性が最大となる方向（ＴＢ方向）が含まれるように透過率可変素子の光軸回りでの回転方向の位置が決められて設置される。その際、青反射ダイクロイック膜への入射角が小さいマージナル光線における緑色光の透過率に対する青色光の透過率の割合が、青反射ダイクロイック膜への入射角が大きいマージナル光線における緑色光の透過率に対する青色光の透過率の割合よりも小さくなるように、透過率可変素子の光軸回りでの回転方向の位置が決められて設置される。
【００３０】
具体的には、図２で決めた透過率可変素子の底面１９が図１において上側に位置するように、透過率可変素子１の光軸回りでの回転方向の配置が決定される。
【００３１】
本実施例においては、前記割合は、波長５５０ｎｍの緑色光の透過率に対する割合として例示したが、これに限定されることはなく、緑色域、或いは、赤色域の波長の透過率に対する割合を定義しても本発明の効果を得ることが出来る。
【００３２】
以上のように、透過率可変素子での角度シェーディングと、青反射ダイクロイック膜での角度シェーディングが打ち消しあう方向に素子が配置されており、ボケ像の色付きが抑制される構成となっている。
【実施例２】
【００３３】
本発明の第２の実施例の撮像装置の要部概略図を図９に示す。
本実施例の撮像装置は、色分解光学系２３が第１の実施例の色分解光学系（導光光学系）２とその構成が異なる。本実施例の色分解光学系２３は、物体側から順に、反射面に赤反射ダイクロイック膜２５（第１のダイクロイック膜）を蒸着した赤分解プリズム２４（第１プリズム）、反射面に青反射ダイクロイック膜２７（第２のダイクロイック膜）を蒸着した青分解プリズム２６（第２プリズム）、緑色光を撮像素子へと導く緑分解プリズム２８（第３プリズム）で構成されている。本実施例では不図示のレンズ装置からの入射光は、図２に示した第１の実施例の場合と同様の構成を有する透過率可変素子２２を通り、色分解光学系２３により赤、青、緑色光の順番で色分解される。青分解プリズムの反射面の垂線３３は光軸３０と角度θ１で交差している。マージナル光線３２は、青分解プリズムの反射面の垂線３３と角度θ２で交差する。３１は赤分解プリズムの反射面の垂線である。
【００３４】
本実施例でも第１の実施例と同様にマージナル光線３２の青分解プリズムへの入射角θ２は、軸上主光線の青分解プリズムへの入射角θ１よりも小さい。このような関係であるとき、青反射面２７に入射するマージナル光線３２の反射光は、前述の下側マージナル光線ＭＲ１と同様、軸上光線ＰＲに比べて青色光の反射光量が多くなる。
【００３５】
本実施例でも、第１の実施例と同様に青反射ダイクロイック膜ＢＲで下側マージナル光線ＭＲ１と同様の反射特性をもつマージナル光線３２が透過率可変素子２２を透過するときに、図５に示した光線Ｒ１の特性を示すように透過率可変素子の光軸回りの回転位置を決めて配置する。それにより、光線ＭＲ１に対する青反射ダイクロイック膜ＢＲの反射率の入射角依存性と光線Ｒ１に対する透過率可変素子１の透過率の入射角依存性に起因する画質の劣化を互いに打ち消すように緩和させることができる。
【００３６】
すなわち、軸上光線の主光線の青反射ダイクロイック膜への入射角よりも小さい入射角で青反射ダイクロイック膜へ入射するマージナル光線の、透過率可変素子の緑色光の透過率に対する青色光の透過率の割合が、軸上光束の主光線に対する、透過率可変素子の緑色光の透過率に対する青色光の透過率の割合よりも低くなるように、透過率可変素子の光軸回りでの回転方向の位置が決められて設置される。
【００３７】
また、より好ましくは、２つのマージナル光線の青反射ダイクロイック膜への入射角の差が最大となる、光軸を含む平面内に、透過率可変素子の緑色光の透過率に対する青色光の透過率の割合の入射角依存性が最大となる方向（ＴＢ方向）が含まれるように透過率可変素子の光軸回りでの回転方向の位置が決められて設置される。その際、青反射ダイクロイック膜への入射角が小さいマージナル光線に対する前記青色光の割合が、青反射ダイクロイック膜への入射角が大きいマージナル光線に対する前記青色光の割合よりも小さくなるように、透過率可変素子の光軸回りでの回転方向の位置が決められて設置される。
【００３８】
具体的には、図２で決めた透過率可変素子の底面１９が図９において上側に位置するように、透過率可変素子の光軸回りでの回転方向の配置が決定される。
このように本発明の構成は色分解光学系の色分解の順番が変わっても同様の効果を得ることができる。
本発明は、物体側から順に、撮影レンズを経由して入射する被写体光の光量を調節するフィルタ部（透過率可変素子）と、フィルタ部を経由した被写体光を光電変換して映像信号を形成するカメラ部と、から構成される、撮像装置、に対して適用されることを例示して説明した。しかし、本発明はその構成に限定されることはなく、物体側から順に、撮影レンズと、該撮影レンズを経由して入射する被写体光の光量を調節するフィルタ部（透過率可変素子）と、フィルタ部を経由した被写体光を光電変換して映像信号を形成するカメラ部と、から構成される、撮像システム、に対しても同様に適用され、本発明の効果を得ることができる。
【００３９】
以上、本発明の好ましい実施形態について説明したが、本発明はこれらの実施形態に限定されず、その要旨の範囲内で種々の変形及び変更が可能である。例えば、透過率可変素子の構成は実施例のものに限らないし、素子自体も液晶素子に限らず本発明と類似の角度シェーディングを有する素子で構成されていれば同様の効果が得られる。
【符号の説明】
【００４０】
１、２２：透過率可変素子
２、２３：色分解光学系（導光光学系）
３、２６：青分解プリズム
５、２４：赤分解プリズム
８Ｂ、２９Ｂ：青色用撮像素子
８Ｒ、２９Ｒ：赤色用撮像素子
８Ｇ、２９Ｇ：緑色用撮像素子
１１、３２：マージナル光線
２０：液晶素子
２１：透過部
【図１】
2013247440.tif 000003
【図２】
2013247440.tif 000004
【図３】
2013247440.tif 000005
【図４】
2013247440.tif 000006
【図５】
2013247440.tif 000007
【図６】
2013247440.tif 000008
【図７】
2013247440.tif 000009
【図８】
2013247440.tif 000010
【図９】
2013247440.tif 000011
【図１０】
2013247440.tif 000012
【図１１】
2013247440.tif 000013